(57)【要約】【課題】  簡略な処理によって、画像変換時間を増加させることなく、送信用の画像に、送信時に必要な送信ヘッダを付加することができる画像処理装置の提供。【解決手段】  １ページの入力画像を固定サイズの複数の領域に分割して保持する手段と、前記１ページの画像の一部に、１以上の帯状画像を付加する位置を判断する位置判断手段と、１以上の帯状領域毎に画像を形成し、前記固定サイズの複数の領域に分割する帯状画像形成手段と、前記保持手段に保持された前記入力画像の中の、前記位置判断手段によって決定された画像領域の画像データと、前記帯状画像形成手段により形成した帯状画像データとを置き換える部分画像置換手段と、を有することを特徴とする。【選択図】        図２
2006157806.tif 000002
【特許請求の範囲】
【請求項１】
１ページの入力画像を固定サイズの複数の領域に分割して保持する手段と、
前記１ページの画像の一部に、１以上の帯状画像を付加する位置を判断する位置判断手段と、
１以上の帯状領域毎に画像を形成し、前記固定サイズの複数の領域に分割する帯状画像形成手段と、
前記保持手段に保持された前記入力画像の中の、前記位置判断手段によって決定された画像領域の画像データと、前記帯状画像形成手段により形成した帯状画像データとを置き換える部分画像置換手段と、
を有することを特徴とする画像処理装置。
【請求項２】
１ページの入力画像を固定サイズの複数の領域に分割して保持する手段と、
前記１ページの画像の一部に、１以上の帯状画像を付加する位置を判断する位置判断手段と、
前記位置判断手段が、前記入力画像の外側である場合に、入力画像の横幅または縦幅と同一の領域に、余白をつけて帯状画像を形成し、前記固定サイズの複数の領域に分割する帯状画像形成手段と、
前記保持手段に保持された前記入力画像の中の、前記位置判断手段によって決定された画像領域の画像データに、前記帯状画像形成手段により形成した帯状画像データと付加する部分画像付加手段と、
を有することを特徴とする画像処理装置。
【請求項３】
前記帯状画像形成手段は、入力画像の圧縮形式および色空間および量子化パラメータおよび解像度と同一になるようにように形成する
ことを特徴とする請求項１又は２に記載の画像処理装置。
【請求項４】
前記帯状画像は、画像情報を送信する際に、ページのヘッダ部分に付加するための、送信ヘッダ画像であることを特徴とする請求項１乃至３いずれかに記載の画像処理装置。
【請求項５】
前記帯状画像は、受信画像情報を印刷する際に、ページのヘッダおよびフッタ部分に付加するための、受信ヘッダ・フッタ画像であることを特徴とする請求項１乃至３いずれかに記載の画像処理装置。
【発明の詳細な説明】
【技術分野】
【０００１】
本発明は、画像入力機能と画像蓄積機能を有する画像処理装置に関するものである。
【背景技術】
【０００２】
カラー画像を扱う画像処理装置において、画像データを固定領域に分割し（分割する単位となる一領域をタイルと称する）、分割したタイルごとに圧縮して画像をメモリに格納し、タイル符号データそれぞれに固定長のヘッダデータ部を付加してこのヘッダ部に符号サイズの情報を書き込む。
【０００３】
以下、このタイル画像符号データとヘッダ部を合わせたものを画像パケットと称する。また画像パケットをどの順番にメモリ上に並べるかの情報を記憶するために、画像パケットが格納されているアドレスをまとめたデータを画像パケットテーブルと称し、１つの画像パケットテーブルと、複数の画像パケットで、１ページの画像データが構成される。
【特許文献１】特開２００２−６４７１４号公報
【発明の開示】
【発明が解決しようとする課題】
【０００４】
前記のような画像処理装置において、ファクシミリなどの送信画像を形成する際に、必要とされる送信ヘッダの文字列や、受信画像を出力する際に、必要とされる受信フッタの文字列などといった、文字列を合成する必要がある。しかしながら、入力画像は圧縮されており、合成する領域の入力画像を一度デコードし、デコードした領域に対して文字列画像を展開する必要がある。さらには、入力画像がカラー画像で一般的なＹＵＶやＹｃｂＣｒなどの色味成分データで構成される場合、文字画像も同じ色味で形成する必要がある。したがって、デコード用に多量のメモリを必要とする上、デコード→文字列展開→色味合わせ→エンコード等と、処理が煩雑になる上、ファクシミリ送信する際の画像変換時間が延びるため、無駄に通信時間がかかってしまう。本発明は、上述の課題に鑑みてなされたものであり、その目的とするところは、高速処理の可能な画像処理装置を提供することにある。
【課題を解決するための手段】
【０００５】
上記問題を解決するために、本発明では、以下の方法をとる。
【０００６】
１ページの入力画像を画像パケットデータに分割し、画像パケットテーブルとともに保持する手段と、前記１ページの画像の一部に、複数のタイル画像を付加する位置を判断する位置判断手段と、上記文字列を帯状領域の画像として形成し、タイル画像に分割し、このタイル画像を入力画像パケットと同じ形式で圧縮し、画像パケットを形成する手段と、前記保持手段に保持された前記入力画像の中の、前記位置判断手段によって決定された画像領域の画像パケットデータと、前記帯状画像形成手段により形成した画像パケットデータとを置き換え、画像パケットテーブルを更新する、部分画像置換手段と、を有することを特徴とする。
【０００７】
さらには、１ページの入力画像を画像パケットデータに分割し、画像パケットテーブルとともに保持する手段と、前記１ページの画像の一部に、複数のタイル画像を付加する位置を判断する位置判断手段と、前記位置判断手段が、前記入力画像の外側である場合に、入力画像の横幅または縦幅に合わせてタイル数を決定し、このタイル数分の領域に上記文字列を形成し、タイル画像に分割し、このタイル画像を入力画像パケットと同じ形式で圧縮し、画像パケットを形成する手段と、前記保持手段に保持された前記入力画像の画像パケットテーブルに、前記帯状画像形成手段により形成した画像パケットデータを追加し、入力画像に帯状画像を付加する部分画像付加手段と、を有することを特徴とする。
【発明の効果】
【０００８】
本発明の方法をとることにより、簡略な処理によって、画像変換時間を増加させることなく、送信用の画像に、送信時に必要な送信ヘッダを付加することができる。
【発明を実施するための最良の形態】
【０００９】
以下本発明を実施するための最良の形態を、実施例により詳しく説明する。
【実施例】
【００１０】
以下、本発明にかかる一実施形態について、図面を参照して詳細に説明する。
【００１１】
図１は、本発明の実施例を示す画像処理装置システムの全体の構成を説明するブロック図である。本画像処理装置２００は、画像入力デバイスであるスキャナ部２０７０、画像出力デバイスであるプリンタ部２０９５、Ｃｏｎｔｒｏｌｌｅｒ  Ｕｎｉｔ  ２０００、ユーザーインターフェースである操作部２０１２から構成される。スキャナ部２０７０、プリンタ部２０９５、操作部２０１２は、それぞれＣｏｎｔｒｏｌｌｅｒ  Ｕｎｉｔ  ２０００に接続され、Ｃｏｎｔｒｏｌｌｅｒ  Ｕｎｉｔ  ２０００は、ＬＡＮ  ２０１１などのネットワーク伝送手段、公衆回線に接続されている。公衆回線からはカラー画像送信を含むＧ３、Ｇ４ファックスによる送信が可能である。また、ＬＡＮ  ２０１１には、画像処理装置２００と同様の機器構成をもつ他の画像処理装置２２０、２３０が接続されえている。また、パーソナルコンピュータ（以下ＰＣ）２４０が接続されていて、ＦＴＰ，ＳＭＢプロトコルを使用したファイルの送受信、電子メールの送受信ができる。画像処理装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ  ２２００、２３００に接続されている。
【００１２】
図２は、画像処理装置の構成を説明するブロック図である。Ｃｏｎｔｒｏｌｌｅｒ  Ｕｎｉｔ  ２０００は画像入力デバイスであるカラースキャナ２０１５や画像出力デバイスであるカラープリンタ２０１７と接続し、一方ではＬＡＮ２００８や公衆回線（ＷＡＮ）２０５１接続することで、画像情報やデバイス情報の入出力を行う為のコントローラである。
【００１３】
ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００５は操作部（ＵＩ）２００６とインタフェース部で、操作部２００６に表示する画像データを操作部２００６に対して出力する。また、操作部２００６から本システム使用者が入力した情報を、ＣＰＵ２００１に伝える役割をする。Ｎｅｔｗｏｒｋ２００７はＬＡＮ２００８に接続し、情報の入出力を行う。Ｍｏｄｅｍ２０５０は公衆回線２０５１に接続し、画像情報の入出力を行う。２値画像回転２０５２、および２値画像圧縮・伸張２０５３はＭｏｄｅｍ２０５３で２値画像を送信する前に画像の方向を変換したり、所定の解像度、あるいは相手能力に合わせた解像度に変換するためのものである。圧縮、伸張はＪＢＩＧ、ＭＭＲ、ＭＲ、ＭＨをサポートしている。ＤＭＡＣ２００９はＤＭＡコントローラであり、ＲＡＭ２００２に格納されている画像をＣＰＵ２００１を介することなく読み取りＩｍａｇｅＢｕｓＩ／Ｆ２０１１に対して画像転送する、もしくは画像バスからの画像をＣＰＵ２００１を介することなくＲＡＭ２００２に書き込む。以上のデバイスがシステムバス２００８に接続される。ＩｍａｇｅＢｕｓ２０１１は画像バス２０１０を介して高速な画像の入出力を制御するためのインタフェースである。圧縮器２０１２は画像バス２０１０に画像を送出する前に３２画素ｘ３２画素の単位でＪＰＥＧ圧縮するための圧縮器である。伸張器２０１３は画像バス２０１０を介して送られた画像を伸張するための伸張器である。
【００１４】
ラスターイメージプロセッサ（ＲＩＰ）２０１８はホストコンピュータからのＰＤＬコードをＮｅｔｗｏｒｋ２００７を介して受け取り、システムバス２００８を通して、ＣＰＵ２００１がＲＡＭ２００２に格納する。ＣＰＵ２００１はＰＤＬを中間コードに変換し、再度システムバス２００８を介してＲＩＰ２０１８に入力し、ビットマップイメージ（多値）に展開する。スキャナ画像処理２０１４はスキャナ２０１５からのカラー画像、白黒画像に対して、適切な各種画像処理（たとえば補正、加工、編集）を行い出力する（多値）。同様にプリンタ画像処理２０１６はプリンタ２０１７に対して適切な各種画像処理（たとえば補正、加工、編集）を行うプリント時は伸張２０１３で２値多値変換を行うので、２値、および多値出力が可能である。画像変換部２０３０はＲＡＭ上にある画像を画像変換し、再度、ＲＡＭ２０３０に下記戻すときに使われる各種画像変換機能を有する。回転器２０１９は３２画素ｘ３２画素単位の画像を指定された角度で回転でき、２値、および多値の入出力に対応している。変倍器２０２０は画像の解像度を変換（たとえば６００ｄｐｉから２００ｄｐｉ）したり、変倍したりする機能（たとえば２５％から４００％まで）を有する。変倍する前には３２ｘ３２画素の画像を３２ライン単位の画像に並び替える。色空間変換２０２１は多値入力された画像をマトリクス演算、およびＬＵＴにより、たとえばメモリ上にあるＹＵＶ画像をＬａｂ画像に変換し、メモリ上に格納する。また、この色空間変換は３ｘ８のマトリクス演算および、１次元ＬＵＴをもち、公知の下地とばしや裏写り防止を行うことができる。変換された画像は多値で出力される。２値多値変換２０２２は１ｂｉｔ２値画像を多値８ｂｉｔ、２５６階調にする。逆に多値２値変換２０２５はたとえばメモリ上にある８ｂｉｔ、２５６階調の画像を誤差拡散処理などの手法により１ｂｉｔ、２階調に変換し、メモリ上に格納する。合成はメモリ上の２枚の多値画像画像を合成し、１枚の多値画像にする機能を有する。たとえば、メモリ上にある会社ロゴの画像と原稿画像を合成することで、原稿画像に簡単に会社ロゴをつけることができる。間引き２０２４は多値画像の画素を間引くことで、解像度変換を行うユニットであり１／２，１／４，１／８の多値画像を出力可能である。変倍２０２０と合わせて使うことで、より広範囲な拡大、縮小を行うことができる。移動２０２５は入力された２値画像、多値画像に余白部分をつけたり、余白部分を削除したりして出力することができる。回転２０１９、変倍２０２０、色空間変換２０２１、２値多値２０２２、合成２０２３、間引き２０２４、移動２０２５、多値２値２０２６ははそれぞれ連結して動作することが可能で、たとえばメモリ上の多値画像を画像回転、解像度変換する場合は、両処理をメモリを介さずに連結して行うことができる。
【００１５】
図３に画像の形式を示す。本発明で使用される画像の形式は特開２００１−１０３４７３で開示されている画像パケット構造を利用する。圧縮２０１２ではラスタ形式の画像を、図３のごとく３２ｘ３２画素単位のパケットとして並び替え、パケット単位でＪＰＥＧ圧縮を行う。同時にパケットにパケットの位置を示すＩＤ、色空間、ＱテーブルＩＤ、データ長などの情報を付加してヘッダとする。文字、写真を示す２値のデータ（像域フラグ）も同様に圧縮して、ＪＰＥＧの後ろに付随させる。図４にパケットデータを示す。伸張２０１３ではこのヘッダ情報をもとにＪＰＥＧを展開し、ラスタ画像に並び替える。このようなパケット画像にすることで、画像回転のときにはパケット内部の画像のみを回転し、パケットＩＤの位置を変更することで、部分的に伸張圧縮で回転することができるため非常に効率がよい。ＩｍａｇｅＢｕｓ２０１０を流れる画像はすべてパケット画像になる。
【００１６】
また、画像をメモリ上で扱う場合には、パケットテーブルを用いる。パケットテーブルは１要素が１つのパケットの先頭アドレスとサイズになっており、これを主走査、副走査に並べることにより一つの画像を示している。パケットテーブルを用いることにより、画像を構成するパケットがメモリ上で離散的に配置されている場合でも一つの画像として扱うことが可能になる。
【００１７】
ＦＡＸ送信や２値画像回転２０５２、２値画像圧縮、伸張２０５３などでラスタ画像が必要な場合は、パケット画像からラスタ画像への変換をソフトウェアによって行う。
【００１８】
図５にスキャナ画像処理２０１４の詳細説明を示す。スキャナから入力されたＲＧＢ各８ｂｉｔの輝度信号はマスキング２５０１によりＣＣＤのフィルタ色に依存しない標準的なＲＧＢ色信号に変換される。フィルタ２５０２ではたとえば９ｘ９のマトリクスを使用し、画像をぼかしたり、メリハリをつける処理が行われる。ヒストグラム２５０３は入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやＨＤＤに保存、管理され、印刷や送信時の画像処理に使用される。ガンマ２５０４では画像全体の濃度を濃くあるいは薄くするように処理が行われる。たとえば入力画像の色空間を任意の色空間に変換したり、入力系の色味に関する補正処理を行う部分である。原稿がカラーか白黒かを判断するために変倍前の画像信号を色空間変換２５０５によって公知のＬａｂに変換する。このうちａ，ｂは色信号成分を表しており、比較器２５０５内の所定のレベル以上であれば有彩色、そうでなければ無彩色として１ｂｉｔの判定信号を比較器２５０５から出力する。カウンタ２５０７は比較器からの出力を計測する。文字／写真判定は画像から文字エッジを抽出し、画像を文字と写真に分離する機能である。出力として、文字写真判定信号が得られる。この信号も画像とともにメモリやＨＤに格納され、印刷時に使用される。２５０９は特定原稿判定器である。特定原稿判定器は入力画像信号と、判定器内部で持つパターンがどの程度一致するかを比較し、図示したように一致、不一致という判定結果を読み出すことが可能である。判定結果に応じて、画像を加工し、紙幣や有価証券などの偽造を防止する。
【００１９】
図６にプリンタ画像処理２０１６の詳細説明を示す。
【００２０】
２６０１は画像データの地色を飛ばし、不要な下地のカブリ除去を行う。例えば、３×８のマトリクス演算や、１次元ＬＵＴにより下地飛ばしを行う。これは前述したように２０３２にも含まれる機能であり、まったく同等の回路である。２６０２はカラー画像データをモノクロデータに変換し、単色としてプリントする際に、カラー画像データ、例えばＲＧＢデータを、Ｇｒａｙ単色に変換するモノクロ生成部である。例えば、ＲＧＢに任意の定数を掛け合わせ、Ｇｒａｙ信号とする１×３のマトリクス演算から構成される。２６０３は画像データを出力するプリンタ部の特性に合わせて色補正を行う出力色補正部である。例えば、４×８のマトリクス演算や、ダイレクトマッピングによる処理から構成される。２６０４は画像データの空間周波数を任意に補正するフィルタ処理部であり、例えば９×９のマトリクス演算を行う処理から構成される。２６０５は出力するプリンタ部の特性に合わせて、ガンマ補正を行う処理であり、通常１次元のＬＵＴから構成される。２６０６は出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。ドラム間遅延メモリ２６０７はＣＭＹＫの各色のドラムを持つカラープリンタにおいて、ＣＭＹＫの印字タイミングをドラム間分ずらすことで、ＣＭＹＫ画像を重ね合わせるためのメモリである。ＣＭＹＫ各色４ドラムを持つカラープリンタにおいて画像の位置を合わせるために遅延させることができる。
【００２１】
画像入出力デバイスを図７に示す。画像入力デバイスであるスキャナ部２０１５は、原稿となる紙上の画像を照明し、ＣＣＤラインセンサ（図示せず）を走査することで、ラスターイメージデータとして電気信号に変換する。原稿用紙は原稿フィーダ２７０１のトレイ２７０２にセットし、装置使用者が操作部２００６から読み取り起動指示することにより、コントローラＣＰＵ２００１がスキャナ２０１５に指示を与え、フィーダ２０７１のトレイ２７０２から原稿用紙を１枚ずつフィードし原稿画像の読み取り動作を行う。
【００２２】
画像出力デバイスであるプリンタ部２０１７は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示によって開始する。プリンタ部２０９５には、異なる用紙サイズまたは異なる用紙向きを選択できるように複数の給紙段を持ち、それに対応した用紙カセット２７０３、２７０４、２７０５がある。また、排紙トレイ２７０６は印字し終わった用紙を受ける排紙トレイである。
【００２３】
操作部２００６の構成を図８に示す。ＬＣＤ表示部２８０１は、ＬＣＤ上にタッチパネルシート２８０２が貼られており、システムの操作画面およびソフトキーを表示するとともに、表示してあるキーが押されるとその位置情報をコントローラＣＰＵ２００１に伝える。スタートキー２０１４は原稿画像の読み取り動作を開始する時などに用いる。スタートキー２８０３中央部には、緑と赤の２色ＬＥＤ２８０４があり、その色によってスタートキー２８０３が使える状態にあるかどうかを示す。ストップキー２８０５は稼働中の動作を止める働きをする。ＩＤキー２８０６は、使用者のユーザーＩＤを入力する時に用いる。リセットキー２８０７は操作部からの設定を初期化する時に用いる。
【００２４】
図９は、本実施例の画像処理装置における初期画面であり、各画像形成機能設定後に戻ってくる標準画面でもある。３１０１はコピー設定を行うための画面切り替えを行う。３１０２はスキャンした画像をファックスや電子メールで送信する設定を行うための画面切り替えを行う。３１０３は内蔵ＨＤＤにスキャン画像、ＰＤＬ画像を格納する、あるいは格納されたスキャン画像、ＰＤＬ画像を印字、あるいは送信する、あるいは編集する設定を行うための画面切り替えを行う。３１０４は３１０５のよって設定された画像読み込み時の設定を表示するためのウィンドウである。３１０５は画像読み込み時の解像度、濃度などを設定する。３１０６はタイマー送信時のタイマー設定、ＨＤＤあるいはプリンタに印字する場合の設定などを行う。３１０７は３１０８によって指定された送信宛先の表示を行う。３１０９は３１０７に表示された１宛先の詳細な情報の表示を行う。３１１０は３１０７に表示された１宛先の消去を行う。
【００２５】
図１０は３１０５を押下したときに表示されるポップアップウィンドウである。３２０１は読み取り原稿サイズをポップアップのなかから選択入力し、設定された読み取りサイズは３２０２に表示される。３２０３は原稿の読み取りモードを選択するところであり、押下するとカラー／ブラック／自動（ＡＣＳ）の３種類が選択できる。カラーモードに関してはコピー、ボックスでも同様に選択ができる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。３２０４は読み取りの解像度を指定するためポップアップからの選択入力になる。３２０５は原稿の読み取り濃度を調整するためのスライダであり、９段階の調整が行える。３２０６は新聞のように下地がかぶった画像を読み込む場合に、濃度を自動的に決定するためにある。３２０６についてはコピーでも同様の設定が可能である。
【００２６】
図１１にコピータブ３１０１を押下したときの画面を示す。３３０１はコピーできる状態が否かを示すところであり、同時に設定したコピー部数も表示される。３３０２は３２０６と同等の機能であり、下地除去を自動的にするかしないかを選択するためのボタンである。３３０３は３２０５と同等の機能であり、９段階の濃度調整が可能なスライダである。３３０４は原稿のタイプを選択するところであり、文字・写真・地図、文字、印画紙写真、印刷写真が選択できる。３３０５は応用モードボタンであり、縮小レイアウト（複数枚の原稿を１枚の用紙に縮小印字する機能）や、カラーバランス（ＣＭＹＫの各色微調整）などが設定できる。３３０６は各種フィニッシングにかかわる設定を行うボタンであり、シフトソート、ステープルソート、グループソートが設定できる。３３０７は両面読み込み、および、両面印刷にかかわる設定を行うボタンである。
【００２７】
図１２にボックスタブ３１０３を押下したときの画面を示す。３４０１はＨＤＤを論理的に区分した各フォルダを示す。フォルダにはフォルダ番号があらかじめ割り振られており、３４０１は０番のフォルダになる。フォルダ番号の横にはフォルダで使用しているディスク容量の割合が表示されている。また、フォルダには任意の名前をつけることができ、名前もここに表示される。３４０２はＨＤＤ全体の使用量が表示される。
【００２８】
図１３に３４０１を押下したときの画面を示す。３５０１および３５０２はフォルダに格納されている文書を示す。文書は複数のページで構成されている。３５０１はスキャンした文書であり、スキャン文書であることを示すアイコン表示、および、ＨＤＤ使用量、さらにユーザーが任意に設定できる文書名表示を表示している。３５０２はＰＤＬから格納したＰＤＬ文書であるアイコンが表示されている。アイコンを押下することで、その文書が選択されたことが反転表示によって示される。３５０３は選択された文書を送信するためのボタンである。３５０４はスキャナから原稿を読み込み、文書を生成するためのボタンである。３５０５はフォルダ内のすべての文書を選択するためのボタンである。３５０６は選択された文書を削除するためのボタンである。３５０７は選択された文書を印刷するためのボタンである。３５０８は選択された文書を編集するためのボタンである。たとえば２つの文書を選択して、結合し、１つの文書にして保存したり、特定のページを削除する機能を持っている。３５０９は最後に選択された文書の詳細情報を表示するためのボタンである。文書名以外にも解像度、原稿サイズ、カラーなどの情報をみることができる。
【００２９】
図１４にソフト構成図を示す。４０１０は表示操作部を制御するＵＩ制御部、ＵＩ制御部からの指示を受け、コピー動作、送信動作、ボックス画面からのスキャン、プリントを実行するコピーアプリケーション部４０２０、送信アプリケーション部４０２１、ＢＯＸアプリケーション部４０２２がある。またネットワークアプリケーション４１２０からのＰＤＬプリントデータをうけＰＤＬプリントジョブを投入するＰＤＬアプリケーション部４０２３がある。４０３０は機器制御部分の機器依存部分を吸収するための共通インタフェース部分、４０４０は共通インタフェースから受け取ったジョブ情報を整理し、下位層のドキュメント処理部に伝達するジョブマネージャである。ドキュメント処理部はローカルコピーであればスキャンマネージャ４０５０とプリントマネージャ４０９０、リモートコピーの送信ジョブ、あるいは送信ジョブであればスキャンマネージャ４０５０とファイルストアマネージャ４１００、リモートコピーの受信ジョブであればファイルリードマネージャ４０６０とプリントマネージャ４０９０、ＬＩＰＳやＰｏｓｔＳｃｒｉｐｔなどのＰＤＬプリントではＰＤＬマネージャ４０７０とプリントマネージャ４０９０である。各ドキュメントマネージャ間の同期とり、および各種画像処理を行うイメージマネージャ４１１０への画像処理の依頼はシンクマネージャ４０８０を介して行う。スキャン、プリント時の画像処理や画像ファイルの格納はイメージマネージャ４１１０が行う。
【００３０】
まずローカルコピーのソフト処理について説明する。使用者の指示によりＵＩ制御部４０１０からコピー指示とともにコピーの設定がコピーアプリケーション部４０２０に伝わる。コピーアプリケーション部４０２０はＵＩ制御部４０１０からの情報を共通インタフェース４０３０を介して、機器制御を行うジョブマネージャ４０４０に伝える。ジョブマネージャ４０４０はスキャンマネージャ４０５０とプリントマネージャ４０９０にジョブの情報を伝達する。スキャンマネージャ４０５０は図示しないデバイスＩ／Ｆ（デバイスＩ／Ｆはコントローラ２０００とスキャナ２０１５、およびコントローラ２０００とプリンタ２０１７を結ぶシリアルＩ／Ｆ）を介してスキャナ２０７０にスキャン要求を行う。また、同時にシンクマネージャ４０８０を介してイメージマネージャ４１１０にスキャン用の画像処理要求を出す。イメージマネージャ４１１０はスキャンマネージャ４０５０の指示に従って、スキャナ画像処理部２０１４の設定を行う。設定が完了したら、シンクマネージャ４０８０を介してスキャン準備完了を伝える。その後スキャンマネージャ４０５０はスキャナ２０７０に対してスキャンを指示する。スキャン画像転送完了は図示しないハードウェアからの割り込み信号によってイメージマネージャ４１１０に伝わる。イメージマネージャ４１１０からのスキャン完了を受けてシンクマネージャ４０８０はスキャン完了をスキャンマネージャ４０５０、プリントマネージャ４０９０に伝える。同時にシンクマネージャ４０８０はＲＡＭ２００２に蓄積された圧縮画像をＨＤＤ２００４にファイル化するためイメージマネージャ４１１０に指示する。イメージマネージャ４１１０は指示に従ってメモリ上の画像（文字／写真判定信号を含めて）をＨＤＤ２００４に格納する。画像の付随情報として図示しないＳＲＡＭにカラー判定／白黒判定結果、下地とばしを行うための下地とばしレベル、画像入力元としてスキャン画像、色空間ＲＧＢも格納しておく。また、ＨＤＤ２００４への格納が終了し、スキャナ２０７０からのスキャン完了を受けたら、シンクマネージャ４０８０を介してスキャンマネージャ４０５０にファイル化終了を通知する。スキャンマネージャ４０５０はジョブマネージャ４０４０に対して終了通知を返し、ジョブマネージャ４０４０は共通インタフェース４０３０を介してコピーアプリケーション部４０２０へ返す。プリントマネージャ４０９０はメモリに画像が入った時点でデバイスＩ／Ｆを介して、プリンタ２０９５に印刷要求をだす。同時にシンクマネージャ４０８０にプリント画像処理要求を行う。シンクマネージャ４０８０はプリントマネージャ４０９０から要求を受けたら画像処理設定をイメージマネージャ４１１０に依頼する。イメージマネージャ４１１０は前記の画像の付随情報に従ってプリンタ画像処理部２０１５の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。イメージマネージャ４１１０からのプリント完了を受けてシンクマネージャ４０８０はプリント完了をプリントマネージャ４０９０に伝える。プリントマネージャ４０９０はプリンタ部からの排紙完了を受け、ジョブマネージャ４０４０に対して終了通知を返し、ジョブマネージャ４０４０は共通インタフェース４０３０を介してコピーアプリケーション部４０２０へ返す。コピーアプリケーション部４０２０はスキャン、プリントが終了したらジョブ終了をＵＩ制御部に通知する。
【００３１】
リモートコピーのスキャンジョブ、送信ジョブの場合は、プリントマネージャ４０９０に代わってストアマネージャ４１００がジョブマネージャ４０４０からの要求を受ける。スキャン画像をＨＤＤに格納し終わった時点で、シンクマネージャ４０８０から格納完了通知を受け、それを共通インタフェース４０３０を介してリモートコピーならコピーアプリケーション部４０２０に、送信ジョブなら送信アプリケーション部４０２１に通知する。コピーアプリケーション部４０２０、送信アプリケーション４０２１はこの通知のあと、ネットワークアプリケーション４４２０に対してＨＤＤに格納されたファイルの送信を依頼する。依頼を受けたネットワークアプリケーション４４２０がファイルを送信する。ネットワークアプリケーション４４２０はジョブ開始時にコピーアプリケーション部４０２０からコピーに関する設定情報を受け、それもリモート側の機器に通知する。ネットワークアプリケーション４４２０はリモートコピーの場合、機器固有の通信プロトコルを使用して送信を行う。また送信ジョブの場合はＦＴＰ、ＳＭＢのような標準的なファイル転送プロトコルを使用する。
【００３２】
ファックス送信する場合はファイル格納後、送信アプリケーション４０２１から共通インタフェース４０３０、ジョブマネージャ４０４０を介してＦＡＸマネージャ４０４１に送信が指示される。ＦＡＸマネージャ４０４１はＭｏｄｅｍ２０５０を介して、相手機器とネゴシエーションし、必要な画像処理（カラー−＞白黒変換、多値２値変換、回転、変倍）をイメージマネージャ４１１０に依頼し、変換後の画像をＭｏｄｅｍを使って送信する。
【００３３】
また、送信先にプリンタがある場合、送信アプリケーションは共通インタフェース４０００を介してプリントジョブとしてプリントの指示を行う。そのときの動作は以下で説明するリモートコピーのプリントジョブの場合と同様である。また、送信宛先が機器内のボックス宛先になっているときはファイルストアマネージャ４１００によって機器内のファイルシステムに格納する。
【００３４】
ＦＡＸ受信時はＦＡＸマネージャがＭｏｄｅｍを使って画像を受信し、画像ファイルとしてＨＤＤ２００４に格納する。ＨＤＤ２００４格納後にボックスアプリケーション４０２１に通知すると、ボックスアプリケーション４０２１から受信プリントの指示が共通インタフェース４０３０を介して、ジョブマネージャ４０４０になされる。その後は通常のボックスプリントジョブと同じ動作になるため省略する。
【００３５】
リモートコピーのプリントジョブの場合は、送信側からの画像をネットワークアプリケーション４４２０がＨＤＤに保存するとともにコピーアプリケーション部４０２０に対してジョブを発行する。コピーアプリケーション部４０２０は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。受信画像をＨＤＤからメモリに展開するための要求をシンクマネージャ４０８０を介して、イメージマネージャ４１１０に行う。イメージマネージャ４１１０はメモリに画像を展開する。イメージマネージャ４１１０は展開が終了した時点で、展開終了をシンクマネージャ４０８０を経由して、ファイルリードマネージャ４０６０とプリントマネージャ４０９０に伝える。プリントマネージャ４０９０はメモリに画像が入った時点でデバイスＩ／Ｆを介して、プリンタ２０１７にジョブマネージャから指示された給紙段、もしくはその用紙サイズを有する段を選択し、印刷要求をだす。自動用紙の場合には画像サイズから給紙段を決定し印刷要求をだす。同時にシンクマネージャ４０８０にプリント画像処理要求を行う。シンクマネージャ４０８０はプリントマネージャ４０９０から要求を受けたらプリント画像処理設定をイメージマネージャ４１１０に依頼する。（このときたとえば最適サイズ用紙がなくなり、回転が必要になれば別途回転指示も依頼する。回転指示があった場合にはイメージマネージャが画像回転２０１９を使って画像を回転する。）イメージマネージャ４１１０はプリンタ画像処理部２０９０の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。イメージマネージャ４１１０からのプリント完了を受けてシンクマネージャ４０８０はプリント完了をファイルリードマネージャ４０６０とプリントマネージャ４０９０に伝える。ファイルリードマネージャ４０６０は終了通知をジョブマネージャ４０４０に返す。プリントマネージャ４０９０はプリンタ部からの排紙完了を受け、ジョブマネージャ４０４０に対して終了通知を返す。ジョブマネージャ４０４０は共通インタフェース４０３０を介してコピーアプリケーション部４０２０へ終了通知を返す。コピーアプリケーション部４０２０はスキャン、プリントが終了したらジョブ終了をＵＩ制御部に通知する。
【００３６】
ＰＤＬデータ展開格納ジョブの場合は、ＰＤＬプリントを投入したホストＰＣからの要求がネットワークアプリケーション４１２０を経由してＰＤＬアプリケーション４０２３に伝達される。ＰＤＬアプリケーションがＰＤＬデータ展開格納ジョブを共通インタフェース４０３０を介してジョブマネージャ４０４０に指示する。このときＰＤＬマネージャ４０７０とストアマネージャ４１００がジョブマネージャ４０４０からの要求を受ける。画像のＲＩＰが終了した後の画像入力する部分に関しては前述のスキャンジョブと同様である。メモリ上の画像（文字／写真判定信号を含めて）をＨＤＤ２００４に格納する。画像の付随情報として図示しないＳＲＡＭにカラー／白黒情報、画像入力元としてＰＤＬ画像、色空間ＣＭＹＫもしくはＲＧＢも格納しておく。ＰＤＬ画像をＨＤＤ２００４に格納し終わった時点で、シンクマネージャ４０８０から格納完了通知を受け、それを共通インタフェース４０３０を介してＰＤＬアプリケーション４０２３に通知する。ＰＤＬアプリケーション４０２３はこの通知のあと、ネットワークアプリケーション４４２０にＨＤＤに格納完了を通知し、ＰＤＬプリントを投入したホストＰＣへこの情報が伝達される。また、ＰＤＬプリントジョブの場合にはＰＤＬマネージャ４０７０とプリントマネージャによって、メモリ上に展開された画像を印字する。
【００３７】
ＰＤＬ展開され格納された画像のプリントはＵＩで印刷指示された格納文書をＢＯＸアプリケーションに対してプリントジョブとして発行する。ＢＯＸアプリケーション部４０２２は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。印刷指示された画像をＨＤＤからメモリに展開するための要求をシンクマネージャ４０８０を介して、イメージマネージャ４１１０に行う。この後の動作はリモートコピーのプリントジョブで説明した動作と同様のため、省略する。
【００３８】
次に、本実施例における送信画像生成時の文字列画像の合成方法を説明する。図１５は、読み取って蓄積した画像をメモリに読み出し、カラーファクスやカラーインターネットファクスで送信する例において、処理の流れを示した図である。読み取った画像は、前述の画像パケットデータおよび画像パケットテーブルデータとして、ページ単位で、前述のＨＤＤ２００４に蓄積されている。まず読み出し対象となるデータをステップ５００１で決定する。ステップ５００２において、画像パケットデータおよび画像パケットテーブルデータを前述のＲＡＭ２００２に読み出す。例えば、読み出された画像は、平均１７ＭＢ程度のサイズとなる、ＹＵＶの色成分を持つパケットＪＰＥＧであり、画像サイズがＡ３で６００ｘ６００ＤＰＩの解像度を持つデータとなっている（ステップ５００３）。次にステップ５００４において、ステップ５００３のデータを送信用に変換するために、伸張器２０１３、画像変換部２０３０、圧縮器２０１２を使用して、解像度変換、ＹＵＶ→ＲＧＢの色空間変換、回転を実行する。変換された画像は、平均２ＭＢ程度のサイズとなる、ＲＧＢの色成分を持つパケットＪＰＥＧであり、画像サイズがＡ４で２００ｘ２００ＤＰＩの解像度を持つデータとなっている（ステップ５００５）。
【００３９】
次にステップ５００６において、再び伸張器２０１３、画像変換部２０３０、圧縮器２０１２を使用して、ＲＧＢ→Ｌａｂの色空間変換を実行する。変換された画像は、平均２ＭＢ程度のサイズとなる、Ｌａｂの色成分を持つパケットＪＰＥＧであり、画像サイズがＡ４で２００ｘ２００ＤＰＩの解像度を持つデータとなっている（ステップ５００７）。次にステップ５００８によりソフト処理によって本発明のパケット画像へのヘッダ付加を行い、送信可能なサイズになるように、必要に応じて余白削りや余白付けを行ない、伸張器２０１３、圧縮器２０１２を使用して、パケット画像を送信用のラスタ画像に変換する。変換された送信用の画像データは、平均２ＭＢ程度のサイズとなる、Ｌａｂの色成分を持つラスタＪＰＥＧ形式であり、画像サイズがＡ４で２００ｘ２００ＤＰＩの解像度を持つデータとなっている（ステップ５００９）。
【００４０】
最後にステップ５０１０で、送信用のラスタ画像の送信を行う。
【００４１】
図１６は、画像送信時や、受信画像印刷時に、付加される送信ヘッダおよび受信画像印刷時に付加される受信フッタの説明である。通常送信ヘッダは、送信開始時または受信画像印刷時に元画像に付加される帯状画像であり、例えば、送信ヘッダには、発信元アドレスや日時情報等、受信フッタには、受信日時や受付番号などが含まれる。図１６（ａ）は、送信画像および受信画像であり、５１０１は送信ヘッダ、５１０２は送信しようとする画像を示す。また５１０３は受信した相手機の送信ヘッダ情報、５１０４は受信した画像、５１０５は受信フッタを示す。（ｂ）は送信ヘッダ５１０１が画像５１０２の外側に付加される外付けヘッダモードの受信画像例を示す図である。この場合、送信画像はそのままで画像先頭にヘッダが付加される。（ｃ）はヘッダを画像の内に付加した内づけヘッダモードの受信画像例を示す図である。ヘッダと同じ長さ分、送信画像の先頭が欠ける。（ｄ）はヘッダを付加しないヘッダなしモードの受信画像例を示す図である。この場合、画像は手を加えられることなく、送信される。
【００４２】
受信印刷時も外付け、内付け、つけないの各モードがあり、送信時の受信画像例と同様になる。ただし受信印刷時は別途受信フッタを付ける、付けないのモードがあり、図１６（ｅ）は、発信元記録外付けかつ受信フッタ付けるを選択した場合の、受信印刷画像例を示している。
【００４３】
図１７は、前述のステップ５００８において、送信用の画像を形成する際に、パケット画像へのヘッダ付加を行う処理のフローを示している。最初にステップ５２０１において、ヘッダをつけないと判定された場合は、何も行わずに終了する。そうでない場合は、ステップ５２０２に進み、付加するヘッダ文字列データを決定する。次に、ステップ５２０３に進んで送信画像の画素数および解像度に応じて、文字列を展開するメモリ領域を決定して、取得し、背景色で初期化する。次にステップ５２０４において、前述のメモリ領域に対して、文字列をビットマップ画像として展開する。次に、ステップ５２０５に進み、前述のビットマップ画像をタイル画像に変換し、送信画像の符号化形式でタイル毎に符号化を行う。次にステップ５２０６では、各タイル画像にパケットヘッダを付加し、パケットデータを作成にする。次にステップ５２０７では、パケットヘッダを内付けするか外付けするか判定を行う。パケットヘッダを内付けすると判定された場合は、ステップ５２０８に進み、送信画像のなかでヘッダ画像と置き換えられる画像パケットデータを削除し、ここにステップ５２０６で生成したパケットデータを書き込む。次にステップ５２０９に進み、パケットテーブルがステップ５２０８で生成した、パケットデータをさし示すように更新し、処理を終了する。また、ステップ５２０７において、ヘッダを外付けすると判定された場合は、ステップ５２１０に進み、ステップ５２０６で生成したパケットデータを送信画像データの最後に書き込み、送信画像データのパケットＩＤをヘッダパケットデータの後になるように更新する。次にステップ５２０９に進み、パケットテーブルがステップ５２１０で生成した、パケットデータを指示すように更新し、処理を終了する。
【００４４】
図１８は、主走査３４パケット、副走査８パケットの送信画像に、主走査３４パケット、副走査２パケットの送信ヘッダ画像を付加し、主走査３４パケット、副走査１０パケットの画像を生成したヘッダ外付け画像生成例および、主走査３４パケット、副走査８パケットの送信画像の先頭２パケットラインを送信ヘッダ画像と置換し、ヘッダ内付け画像を生成したときの模式図である。
【００４５】
送信画像を読み出した時点でのパケットテーブルは、２７２個のデータパケットを指示しており、ヘッダ画像は、送信画像に合わせて主走査３４タイル分、副走査は文字列が欠けないようにするための最小限（この例では２タイル分）の領域に展開され、パケットデータが生成される。これら２つの画像のデータパケットを指示すようにパケットテーブルを更新する。送信ヘッダが外付けの場合は、送信画像の先頭に送信ヘッダが並ぶようにパケットテーブルを更新し、内付けの場合は、送信画像の先頭のパケットデータを削り、先頭に送信ヘッダが並ぶようにパケットテーブルを更新する。
【図面の簡単な説明】
【００４６】
【図１】画像処理システムの全体構成を示す図
【図２】画像処理装置の全体構成を示す図
【図３】パケット画像と画像全体の関係図
【図４】パケット画像の構造を示す図
【図５】本発明のスキャナ画像処理のブロック図
【図６】本発明のプリンタ画像処理のブロック図
【図７】画像処理装置の入出力デバイス外観図
【図８】画像処理装置の操作部外観図
【図９】本発明の操作部の送信画面の説明図
【図１０】本発明の操作部の送信画面の詳細説明図
【図１１】本発明の操作部のコピー画面の説明図
【図１２】本発明の操作部のボックス画面の説明図
【図１３】本発明の操作部のボックス画面の詳細説明図
【図１４】本発明のソフト構成を示すソフト構成図
【図１５】本発明の画像処理装置の画像送信時における処理フローチャート
【図１６】（ａ）（ｂ）（ｃ）（ｄ）（ｅ）公知の送信ヘッダおよび受信フッタの説明図
【図１７】本発明の画像処理装置のヘッダ付加時における処理フローチャート
【図１８】本発明のヘッダ付加時画像形成方法の説明図
【符号の説明】
【００４７】
２００  画像処理装置
２０００  Ｃｏｎｔｒｏｌｌｅｒ  Ｕｎｉｔ
２０１１  ＬＡＮ
２０７０  スキャナ部
２０９５  プリンタ部
【図１】
2006157806.tif 000003
【図２】
2006157806.tif 000004
【図３】
2006157806.tif 000005
【図４】
2006157806.tif 000006
【図５】
2006157806.tif 000007
【図６】
2006157806.tif 000008
【図７】
2006157806.tif 000009
【図８】
2006157806.tif 000010
【図９】
2006157806.tif 000011
【図１０】
2006157806.tif 000012
【図１１】
2006157806.tif 000013
【図１２】
2006157806.tif 000014
【図１３】
2006157806.tif 000015
【図１４】
2006157806.tif 000016
【図１５】
2006157806.tif 000017
【図１７】
2006157806.tif 000018
【図１６】
2006157806.tif 000019
【図１８】
2006157806.tif 000020